(57)【要約】【課題】制御部と足圧を検知する感圧部との電気的接続部の防水性を保ちつつ、制御部が着脱できるように構成された履物用センサシートを実現する。【解決手段】履物用センサシート（１００）から外部に引き出された配線（３）に対して制御部（１）が、着脱可能に構成され、制御部（１）と配線（３）との着脱部（５）は、制御部（１）の内部に備えられている。【選択図】図１
2017205329.tif 000002
【特許請求の範囲】
【請求項１】
制御部と、
上記制御部と配線を介して電気的に接続され、足圧を検知する感圧部とを備えた履物用センサシートであって、
上記履物用センサシートから外部に引き出された上記配線に対して上記制御部が、着脱可能に構成され、上記制御部と上記配線との着脱部は、上記制御部の内部に備えられていること
を特徴とする履物用センサシート。
【請求項２】
上記制御部は、
上記配線を上記制御部の内部に挿入可能にする開口部を備えた筺体と、
上記開口部において、上記配線の挿入経路を挟むように向かい合った部分を有する弾性体とを備え、
上記向かい合った部分は、互いの押し圧によって変形した状態で、上記挿入経路を密閉すること
を特徴とする請求項１に記載の履物用センサシート。
【請求項３】
上記履物用センサシートは、足型の部分形状に合わせた少なくとも２つのサブセンサシートを備えており、
各サブセンサシートから外部に引き出された配線のそれぞれに対して上記制御部が、着脱可能に構成されていること
を特徴とする請求項１または２に記載の履物用センサシート。
【請求項４】
上記履物用センサシートは、少なくとも、足裏側の第１シートと、地面側の第２シートとを備え、
上記第１シートおよび第２シートは、可撓性を備えているとともに、
上記第２シートは、上記第１シートより大きな伸縮性を備えており、
上記第１シートの地面側の面に、上記感圧部および上記配線が設けられていること
を特徴とする請求項１から３のいずれか１項に記載の履物用センサシート。
【請求項５】
上記履物用センサシートは、装着相手の履物のソール部材と１カ所の局所で固定されるための固定部を備えていること
を特徴とする請求項１から４のいずれか１項に記載の履物用センサシート。
【請求項６】
上記履物用センサシートから外部に引き出された上記配線が上記制御部と接続される方向は、足幅方向であること
を特徴とする請求項１から５のいずれか１項に記載の履物用センサシート。
【請求項７】
請求項１から６のいずれか１項に記載の履物用センサシートを備えたこと
を特徴とする履物。
【発明の詳細な説明】
【技術分野】
【０００１】
本発明は、履物用センサシートおよび履物に関する。
【背景技術】
【０００２】
靴などの中敷または靴底に薄型の圧力センサを設け、歩行の状態または走行の状態に関する情報を収集する従来技術が知られている。そのような従来技術を開示した公知文献としては、例えば、下掲の特許文献１および特許文献２を挙げることができる。
【０００３】
特許文献１には、２枚のフィルムベース材の間に、複数の圧力センサと、圧力センサと接続されたデータ処理手段と、データ処理手段に電力を供給する電源手段とを埋設した中敷が開示されている。なお、データ処理手段および電源手段は、中敷の土踏まず部に埋設されている。
【０００４】
特許文献２には、ソール構造にセンサシステムを接続した履物が開示されている。この履物では、圧力センサの測定値を収集および送信する電子モジュールが、ソール構造のハウジングに設けられたチャンバに対して挿入および取り外し可能に構成されている。また、電子モジュールには電源が含まれている。チャンバ内には、圧力センサに接続されたインターフェースの電気接点が露出しているので、電子モジュールをチャンバに挿入すると、電子モジュールが電気接点を介してインターフェースと電気的に接続されるようになっている。
【先行技術文献】
【特許文献】
【０００５】
【特許文献１】特開平５−１６１７２４号公報（１９９３年６月２９日公開）
【特許文献２】特表２０１４−５０５５７７号公報（２０１４年３月６日公表）
【発明の概要】
【発明が解決しようとする課題】
【０００６】
しかしながら、上述のような従来技術には、圧力センサを制御する制御基板および電源を含む制御部が、防水性を保ちつつ、履物または中敷に対して着脱できるように構成されていないという問題がある。
【０００７】
例えば、特許文献１の中敷では、制御部としてのデータ処理手段および電源手段は、中敷に埋設されているので、防水性を保つことはできているものの、中敷に対して着脱することは不可能である。したがって、圧力センサ、配線およびデータ処理手段のいずれか１つにでも不具合が生じた場合には、中敷全体を交換しなければならない。なお、特許文献１には、電源手段について、「容易に交換ができる１次電池（乾電池）、又は容易に充電できる２次電池（ニッケルカドミューム電池等）を使用している」と記載されている。しかし、電源手段の交換または充電を可能とする具体的な構成については、何も記載されていない。
【０００８】
また、特許文献２の履物では、ソール構造のハウジングに設けられたチャンバは、その上面が開口しており、その開口を通して、電子モジュールをチャンバに対して着脱できるようになっている。しかし、電子モジュールおよび電気接点はソール構造において露出しているので、たとえ、ソール構造の上面を覆うような中敷を用いたとしても、電子モジュールおよび電気接点を防水することは困難である。すなわち、ソール構造の上面に浸入した水、またはソール構造の上面で結露した水分から、電子モジュールを遮蔽することはできず、特に電気接点が水または水分に直に侵されることになる。仮に、ソール構造の上面を覆う中敷をソール構造の上面に接着して、ソール構造に防水性を付与するとすれば、電子モジュールを着脱することができなくなる。
【０００９】
本発明は、上記の問題点に鑑みてなされたものであり、その主たる目的は、制御部と足圧を検知する感圧部との電気的接続部の防水性を保ちつつ、制御部が着脱できるように構成された履物用センサシートを実現することにある。
【課題を解決するための手段】
【００１０】
上記の課題を解決するために、本発明の一態様に係る履物用センサシートは、制御部と、上記制御部と配線を介して電気的に接続され、足圧を検知する感圧部とを備えた履物用センサシートであって、上記履物用センサシートから外部に引き出された上記配線に対して上記制御部が、着脱可能に構成され、上記制御部と上記配線との着脱部は、上記制御部の内部に備えられている。
【発明の効果】
【００１１】
本発明の一態様によれば、履物用センサシートに対して制御部を簡単に着脱することができ、着脱部の防水性を確保することも容易であるという効果を奏する。
【図面の簡単な説明】
【００１２】
【図１】（ａ）は、本発明の実施形態１に係る履物用センサシートの構成を概略的に示す上面図であり、（ｂ）は、同履物用センサシートの構成を概略的に示す側面図である。
【図２】本発明の実施形態１に係る履物用センサシートの構成を概略的に示す裏面図である。
【図３】本発明の実施形態１に係る履物用センサシートの構成を示す断面図であり、（ａ）は、履物用センサシートを曲げていない場合を示しており、（ｂ）は、履物用センサシートを曲げた場合を示している。
【図４】本発明の実施形態１に係る履物用センサシートの両面にソール部材を設けた例を示す断面図であり、（ａ）は、履物用センサシートを曲げていない場合を示しており、（ｂ）は、履物用センサシートを曲げた場合を示している。
【図５】本発明の実施形態１に係る履物用センサシートの両面にソール部材を設けた別の例を示す断面図であり、（ａ）は、履物用センサシートを曲げていない場合を示しており、（ｂ）は、履物用センサシートを曲げた場合を示している。
【図６】固定部の図４とは別の構成を示す拡大図である。
【図７】本発明の実施形態１に係る履物用センサシートの制御部の具体的な構造の一例を示す断面図であり、（ａ）は、筺体の蓋を開いた状態を示しており、（ｂ）は、筺体の蓋を閉じた状態を示している。
【図８】図７の（ｂ）に示した制御部の部分側面図であり、配線の挿入部を示している。
【図９】図７の（ｂ）に示した制御部における下筺体側の平面図である。
【図１０】本発明の実施形態１に係る履物用センサシートの制御部の具体的な構造の別の例を示す断面図であり、筺体の蓋を閉じた状態を示している。
【図１１】本発明の実施形態１に係る履物用センサシートの制御部の具体的な構造のさらに別の例を示す断面図であり、筺体の蓋を閉じた状態を示している。
【図１２】本発明の実施形態２に係る履物用センサシートの構成を概略的に示す上面図である。
【図１３】（ａ）〜（ｃ）は、各サブセンサシートの取付例を示す断面図である。
【図１４】サブセンサシートの取付時における配線の引き回しの一例を示す、図１２のＭ−Ｍ線に沿う断面図であり、（ａ）は、取付前を示しており、（ｂ）は、取付後を示している。
【図１５】サブセンサシートの取付時における配線の引き回しの別の例を示す、図１２のＭ−Ｍ線に沿う断面図であり、（ａ）は、取付前を示しており、（ｂ）は、取付後を示している。
【図１６】本発明の実施形態３に係る履物用センサシートの構成を概略的に示す上面図である。
【図１７】本発明の実施形態１〜３に係る履物用センサシートの使用コンセプト図である。
【発明を実施するための形態】
【００１３】
以下、本発明を実施するための形態について、詳細に説明する。なお、説明の便宜上、先の説明にて説明した部材と同じ機能を有する部材については、同じ符号を付記し、その説明を省略する。
【００１４】
〔実施形態１〕
（センサシートの使用コンセプト）
図１７は、本発明の実施形態１に係る履物用センサシート１００の使用コンセプト図である。履物用センサシート１００は、履物の足底に装着され、履物を履くユーザ１０１の歩行時に履物用センサシート１００に与えられる足圧を測定するものである。履物用センサシート１００による足圧の測定結果を、スマートフォン等の携帯端末１０２に転送することにより、携帯端末１０２は、ユーザ１０１に対して、歩行状態または歩行姿勢等についての注意喚起やアドバイスを行うことができる。一例として、携帯端末１０２の表示画面１０３に、当該注意喚起やアドバイスを表示することが考えられる。
【００１５】
携帯端末１０２に表示される上記の注意喚起またはアドバイスによって、ユーザ１０１は、例えば、歩数、歩行速度、歩行中の左右バランス、足底における足圧の分布状態、またはひきずり足になっているかの程度等に関する情報を取得することができる。
【００１６】
（センサシートの構成例）
図１の（ａ）は、履物用センサシート１００の構成を概略的に示す上面図であり、図１の（ｂ）は、履物用センサシート１００の構成を概略的に示す側面図である。図２は、履物用センサシート１００の構成を概略的に示す裏面図である。履物用センサシート１００は、制御部１と、感圧部２と、配線３と、感圧部２および配線３が設けられており履物の足底に適合する形状を備えたシート本体４とを備えている。
【００１７】
制御部１は、感圧部２を制御する制御基板および電源を含むものである。制御部１は、配線３に対して着脱可能に構成されている。また、制御部１と配線３との着脱部５は、制御部１の内部に備えられている。制御部１の機能としては例えば、下記（Ａ）および（Ｂ）が挙げられる。制御部１の具体的な構造については後述する。
【００１８】
（Ａ）感圧部２による検知結果の収集（メイン機能）。
【００１９】
（Ｂ）携帯端末１０２へのデータ転送（オプション：制御部１を配線３から外し、制御部１をコンピュータ等に接続してデータ転送を行うことができる場合等には、（Ｂ）の機能は必須でない）。
【００２０】
感圧部２は、制御部１と配線３を介して電気的に接続され、足圧を検知するものである。感圧部２は、圧力センサによって構成されている。感圧部２は、足圧がかかったか、かかっていないかを２値的に検出するセンサでもよいし、足圧の大きさを検知するセンサでもよい。履物用センサシート１００には、計７つの感圧部２が、シート本体４の全体に配置されているが、感圧部２の個数および配置については特に限定されない。例えば、つま先領域または踵領域の１箇所に、少なくとも１つの感圧部２が配されている形態でもよい。つま先領域の１箇所に１つの感圧部２が配されている形態は、例えば、短距離走の陸上選手のスタートタイミングまたはスタート時の足圧の大きさ等のデータを取得するような場合に適している。
【００２１】
配線３は、制御部１と感圧部２とを電気的に接続するものである。配線３は、履物用センサシート１００から外部に引き出されている。なお、後述するように、配線３は、それ自体が防水されたフレキシブル配線であることが好ましい。
【００２２】
履物用センサシート１００においては、履物用センサシート１００から外部に引き出された配線３に対して制御部１が着脱可能に構成されているので、履物用センサシート１００に対して制御部１を簡単に着脱することができる。制御部１を着脱可能とした構成による効果として、色々なサイズの履物用センサシート１００に対して、制御部１を共通化できるので履物用センサシート１００の低コスト化に寄与すること、制御部１だけを交換できること等が挙げられる。制御部１の交換は、制御部１が故障した場合に限定されず、制御部１の機能向上、あるいは仕様変更による小型化または薄型化等のようなバージョンアップした場合にも行われる。さらに、制御部１と配線３との着脱部５は、制御部１の内部に備えられているので、着脱部５の防水性を確保することも容易である。
【００２３】
図１の（ｂ）によれば、履物用センサシート１００を側面から見ると、シート本体４の厚みはほぼ均一である。また、制御部１の最上部は、シート本体４の最上部より高くなっている。ユーザ１０１が、制御部１から足裏に受ける違和感を小さくし、制御部１に足圧がなるべくかからないようにもするためには、制御部１の厚みを薄くすると共に、制御部１を土踏まず領域に配置することが好ましい。土踏まず領域は、足底の全体領域の中で足圧が相対的に小さくなる領域である。
【００２４】
図３は、履物用センサシート１００の構成を示す断面図であり、（ａ）は、履物用センサシート１００を曲げていない場合を示しており、（ｂ）は、履物用センサシート１００を曲げた場合を示している。
【００２５】
履物用センサシート１００において、シート本体４は、足裏側の第１シート６と、地面側の第２シート７とを備えている。第１シート６および第２シート７は、可撓性を有している。さらに、第２シート７は、第１シート６より大きな伸縮性を有している。従って、図３の（ａ）および（ｂ）の対比から明らかであるとおり、履物用センサシート１００を曲げた場合、第１シート６の伸縮の度合より、第２シート７の伸縮の度合が大きくなる。
【００２６】
第１シート６は、ある程度の耐熱性を有する材料によって構成されていることが好ましい。第１シート６を構成する材料の具体例として、ポリカーボネートのシート、ポリイミドのシートが挙げられる。また、第２シート７を構成する材料の具体例として、ＥＶＡ（Ethylene Vinyl Acetate：エチレン酢酸ビニル）シートが挙げられる。
【００２７】
感圧部２および配線３は、第１シート６と第２シート７とに挟まれており、第１シート６の地面側の面に設けられている。第１シート６と第２シート７とは、少なくとも周縁部においてシールされ、内部に水分を浸入させないようになっている。なお、配線３は例えば、印刷、めっき、エッチング等によって、第１シート６の基材に形成されていてもよい。
【００２８】
履物用センサシート１００の使用法は、履物用の中敷の使用法と同様である。このため、ユーザ１０１が履物を履いて歩行または走行すると、履物が変形するので、履物用センサシート１００も、履物の変形と同様に変形し、このときに伸縮の応力がかかる。履物用センサシート１００が繰り返し変形すると、伸縮の応力が履物用センサシート１００に繰り返しかかり、履物用センサシート１００に固定された感圧部２および配線３にも伸縮の応力が繰り返しかかる。伸縮の応力が履物用センサシート１００、感圧部２および配線３に繰り返してかかると、破断などの不具合を引き起こす可能性がある。
【００２９】
そこで、少なくとも、感圧部２および配線３にかかる応力の影響を弱めるように、履物用センサシート１００を構成することが好ましい。そのために、履物用センサシート１００は、少なくとも、足裏側の第１シート６と、地面側の第２シート７とを備え、第１シート６および第２シート７は、可撓性を備えているとともに、第２シート７は、第１シート６より大きな伸縮性を備えている。すなわち、第１シート６は、第２シート７より小さな伸縮性を備えているか、あるいは伸縮性が無いとみなせる程度であってもよい。
【００３０】
感圧部２および配線３を第１シート６の地面側の面に設けているので、感圧部２および配線３は履物の変形と同様に変形することはできるが、伸縮の応力がかかることは抑制される。一方、第２シート７は、履物の変形に合わせて変形し、かつ伸縮する。これにより、感圧部２および配線３にかかる伸縮の応力の影響を弱めることができるので、履物用センサシート１００の耐久性を高めることができる。
【００３１】
（履物のソール構造との結合例）
図４は、履物用センサシート１００の両面にソール部材１０ａおよび１０ｂを設けた例を示す断面図であり、（ａ）は、履物用センサシート１００を曲げていない場合を示しており、（ｂ）は、履物用センサシート１００を曲げた場合を示している。ここでは、ソール部材１０ａおよび１０ｂを備えた履物用センサシート１００を、複合センサシート２００と称している。
【００３２】
ソール部材１０ａおよび１０ｂは、履物用センサシート１００の装着相手の履物のソール部材であり、履物用センサシート１００を挟むように設けられている。また、複合センサシート２００は、固定部８を備えている。
【００３３】
固定部８は、ソール部材１０ａと、履物用センサシート１００と、ソール部材１０ｂとを互いに、かつ局所的に固定するものである。例えば、固定部８は、複合センサシート２００の中央付近に配されているが、固定部８の配設位置は中央付近に限定されない。固定部８は例えば、ソール部材１０ａと履物用センサシート１００とが熱溶着または接着される点領域、かつ、履物用センサシート１００とソール部材１０ｂとが熱溶着または接着される点領域として構成されている。また、固定部８は例えば、履物用センサシート１００に設けられた、服のホックのような部材等の、複数の部材の結合と自身の取り外しとが容易な部材によって構成されていてもよい。これにより、固定部８を容易に交換することができる。
【００３４】
履物用センサシート１００は、固定部８において、履物のソール部材１０ａおよび１０ｂと局所的に固定されるので、固定部８以外の部分には、履物用センサシート１００の変形に伴う動きの自由度が生まれる。その自由度は、履物用センサシート１００のより大きな面積でソール部材１０ａおよび１０ｂと固定する形態と比較して、大きくなる。これにより、繰り返す変形に対して履物用センサシート１００の耐久性を高めることができる。
【００３５】
なお、複合センサシート２００には、固定部８のほかに、履物用センサシート１００を避けてソール部材１０ａとソール部材１０ｂとを固定する固定部９を設けてもよい。例えば、図４の（ａ）および（ｂ）に示すように、複合センサシート２００のつま先領域と踵領域とにおいて、１箇所ずつに、固定部８と同様の固定方式を採用した固定部９を設けてもよい。この形態では、履物用センサシート１００と固定部９との間に空間１１を設けることが好ましい。空間１１は、複合センサシート２００の足長方向（踵からつま先への方向およびその逆方向）の変形に伴う履物用センサシート１００の伸縮を吸収することができる。
【００３６】
また、ソール部材１０ａと履物用センサシート１００とソール部材１０ｂとを局所的に固定する固定部を、固定部８を通る足幅方向に沿って、固定部８と並ぶように１つ以上設けてもよい。
【００３７】
図５は、履物用センサシート１００の両面にソール部材１０ａおよび１０ｂを設けた別の例を示す断面図であり、（ａ）は、履物用センサシート１００を曲げていない場合を示しており、（ｂ）は、履物用センサシート１００を曲げた場合を示している。ここでは、ソール部材１０ａおよび１０ｂを備えた履物用センサシート１００を、複合センサシート３００と称している。
【００３８】
複合センサシート３００では、固定部８と同様の固定方式を採用した局所的な固定部９を複数設けているとともに、各固定部９の周囲に、空間１１’を形成している。この空間１１’は、複合センサシート２００の空間１１と同じく、複合センサシート３００の足長方向の変形に伴う履物用センサシート１００の伸縮を吸収する働きをする。また、空間１１’は、足幅方向の変形に伴う履物用センサシート１００の伸縮も吸収することができる。したがって、複合センサシート３００の変形に伴う履物用センサシート１００の破断を防ぐことができる。
【００３９】
なお、複数の固定部９とその空間１１’との組み合わせにおいて、複合センサシート３００の足長方向の変形が相対的に大きい領域では、複合センサシート３００の足長方向の変形が相対的に小さい領域よりも、空間１１’の足長方向の長さを長くしてもよい。図５の（ｂ）は、２箇所の空間１１’の足長方向の長さを変えた例を示している。足長方向の変形が相対的に大きい領域には、例えばつま先から足底の中央付近までの領域が該当する。
【００４０】
図６は、固定部９とは別の構成を備えた固定部９Ａを示す拡大図である。図６に示すように、固定部９Ａは、ソール部材１０ｂに形成された孔に挿入され、先端が空間１１’内に挿入されたボルト状の部材によって構成されていてもよい。固定部９Ａの皿状の台座部分は、ソール部材１０ｂの裏面に固着されている。固定部９Ａの軸部の先端は、ソール部材１０ａに固着されなくてよい。このような構成の固定部９Ａのことを半固定部と呼ぶこともできる。固定部９Ａは、複合センサシート３００の変形に伴う履物用センサシート１００の位置ずれを制限しつつ、履物用センサシート１００の伸縮を吸収することができる。
【００４１】
（制御部の構成例１）
図７は、履物用センサシート１００の制御部１の具体的な構造の一例に相当する制御部２０１の断面図であり、（ａ）は、筺体１３の蓋を開いた状態を示しており、（ｂ）は、筺体１３の蓋を閉じた状態を示している。図８は、図７の（ｂ）に示した制御部２０１の部分側面図であり、配線の挿入部を示している。図９は、制御部２０１における下筺体１３ｂ側の平面図である。図９のＡ−Ａ断面が、図７の（ａ）および（ｂ）における下筺体１３ｂ側と対応する。
【００４２】
制御部２０１は、上筺体１３ａおよび下筺体１３ｂを有している筺体１３と、弾性体１４ａおよび１４ｂを有している弾性体１４と、制御基板１５と、電源１６と、電源配線１７とを備えている。制御基板１５には、充電用コネクタ１８と、配線接続用コネクタ１９ａとが搭載されている。また、履物用センサシート１００の配線３は、配線接続用コネクタ１９ｂと、フレキシブル配線部２０とを備えている。
【００４３】
上筺体１３ａおよび下筺体１３ｂは、制御部２０１の筺体１３を構成している。上筺体１３ａは、下筺体１３ｂの蓋であり、下筺体１３ｂよりわずかに大きなサイズを有している。上筺体１３ａは、上筺体１３ａの内壁に爪２１を有している。下筺体１３ｂは、下筺体１３ｂの外壁に凹部２２を有している。爪２１および凹部２２は、上筺体１３ａにより下筺体１３ｂに蓋をした状態において、爪２１と凹部２２とが係合するように構成されている。この係合により、上筺体１３ａにより下筺体１３ｂに蓋をした状態において、上筺体１３ａは下筺体１３ｂに対して固定される。
【００４４】
また、上筺体１３ａにより下筺体１３ｂに蓋をした状態において、筺体１３には、制御部２０１の側面に該当する面に、配線３を受け入れる開口部２３が形成されている。
【００４５】
弾性体１４は、ゴム等の弾力および防水性を有する部材によって構成されている。弾性体１４ａは、上筺体１３ａの天井面の周縁部に環状に設けられている。弾性体１４ｂは、下筺体１３ｂの底面の周縁部に環状に設けられている。そして、上筺体１３ａにより下筺体１３ｂに蓋をした状態において、弾性体１４ａと弾性体１４ｂとが互いに向かい合いかつ密着し合う。弾性体１４ａと弾性体１４ｂとが互いに向かい合いかつ密着し合う弾性体１４ａの部分を、対向密着部２４ａとしている。同様に、弾性体１４ａと弾性体１４ｂとが互いに向かい合いかつ密着し合う弾性体１４ｂの部分を、対向密着部２４ｂとしている。図８に示すように、対向密着部２４ａおよび対向密着部２４ｂは、開口部２３では露出している。その露出した部分の役割については後述する。
【００４６】
制御基板１５は、前述した機能（Ａ）および（Ｂ）を始めとする、制御部２０１における各種機能を実行するための基板である。電源１６は、例えばボタン電池であり、制御部２０１の電源として機能する。電源配線１７は、制御基板１５と電源１６とを電気的に接続する配線である。
【００４７】
充電用コネクタ１８は、制御部２０１の外部から、電源１６を充電するための充電用配線（図示しない）が接続されるコネクタである。充電用コネクタ１８に当該充電用配線を接続することにより、電源１６の充電が可能となる。
【００４８】
配線接続用コネクタ１９ａは、配線３の配線接続用コネクタ１９ｂが接続されるコネクタである。配線接続用コネクタ１９ｂは、配線接続用コネクタ１９ａと接続される配線３側のコネクタである。配線接続用コネクタ１９ａに対して配線接続用コネクタ１９ｂを接続することにより、制御部２０１と感圧部２とが配線３を介して電気的に接続され、感圧部２による検知結果の収集（上述した機能（Ａ））が可能となる。フレキシブル配線部２０は、配線３の主要部であり、可撓性および防水性を有している配線である。
【００４９】
ここで、図７の（ｂ）および図８に示すとおり、配線３は、互いに向かい合いかつ密着し合う、弾性体１４ａと弾性体１４ｂとの間に挿入されている。そして、フレキシブル配線部２０を囲むように、弾性体１４ａと弾性体１４ｂとにより、制御部２０１の内部が密封されている。
【００５０】
つまり、制御部２０１は、以下の構成であると解釈することができる。すなわち、制御部２０１は、配線３を制御部２０１の内部に挿入可能にする開口部２３を備えた筺体１３と、開口部２３において、配線３の挿入経路を挟むように向かい合った部分である対向密着部２４ａおよび２４ｂを有する弾性体１４とを備えている。そして、対向密着部２４ａおよび２４ｂは、互いの押し圧によって変形した状態で、配線３の挿入経路を密閉する。
【００５１】
制御部２０１は筺体１３を備え、その筺体１３は配線３を制御部２０１の内部に挿入可能にする開口部２３を備えている。したがって、筺体１３の防水性は、少なくとも開口部２３を水密構造にすることによって、容易に確保することができる。開口部２３の水密構造として、開口部２３には、配線３の挿入経路を挟むように向かい合った部分を有する弾性体１４が備わっている。少なくとも開口部２３において配線３の挿入経路を挟むように向かい合った部分を有する弾性体でありさえすれば、弾性体１４ａと弾性体１４ｂとを備えた形態に限られない。また、筺体１３についても、上筺体１３ａおよび下筺体１３ｂを備えた形態に限定されず、図１０または図１１に示す給電方式を採用する場合には、制御部１の内部を露出できる形態を採用しなくてもよい。すなわち、筺体１３は、配線３を受け入れる開口部２３を少なくとも備えていさえすれば、一体物であってもよい。
【００５２】
以上のように、対向密着部２４ａおよび２４ｂ同士の間を押し分けるように、配線３を差し込むことによって、配線３を制御部２０１内の着脱部５へ導くことができる。したがって、着脱部５の防水性を確保しつつ、配線３に対して制御部２０１を着脱することができる。さらに、対向密着部２４ａおよび２４ｂ同士の変形により、配線３の厚みを弾性体１４が吸収することもできる。
【００５３】
また、上筺体１３ａの天井面の周縁部と、下筺体１３ｂの底面の周縁部とに、弾性体１４ａと弾性体１４ｂとをそれぞれ環状に設け、上筺体１３ａと下筺体１３ｂとを嵌め合わせた状態では、弾性体１４ａと弾性体１４ｂとが密着するようになっている。したがって、弾性体１４は、配線３の挿入経路の防水性を保つと同時に、筺体１３の防水性を保つことができる。
【００５４】
また、上筺体１３ａを下筺体１３ｂに対して固定するために、爪２１と凹部２２とが係合されていることにより、密着状態にある対向密着部２４ａおよび２４ｂ同士が反発し合う力が生じたときに、上筺体１３ａが下筺体１３ｂから外れることを防ぐことができる。
【００５５】
また、開口部２３を筺体１３に設ける場合、下筺体１３ｂについては、開口部２３において平板状とし、上筺体１３ａにトンネルの入り口形状のような切り欠き部を形成してもよい。
【００５６】
（制御部の構成例２）
図１０は、履物用センサシート１００の制御部１の具体的な構造の別の例に相当する制御部２０２の断面図であり、筺体１３の蓋を閉じた状態を示している。
【００５７】
制御部２０２は、開口部２６が形成されていると共に、キャップ２７を備えている点が、制御部２０１と異なっている。開口部２６は、上筺体１３ａの例えば上面に形成されている。キャップ２７は、開口部２６を塞ぐものである。
【００５８】
また、充電用コネクタ１８は、上筺体１３ａにより下筺体１３ｂに蓋をした状態において、開口部２６の真下またはその近傍に配置されている。このため、上筺体１３ａにより下筺体１３ｂに蓋をした状態であっても、キャップ２７を上筺体１３ａから外して開口部２６に充電用配線を引き回すことにより、容易に、充電用配線を充電用コネクタ１８と接続することができる。このため、電源１６の充電作業の単純化を図ることができる。
【００５９】
以上に説明した点を除けば、制御部２０２は、制御部２０１と同様の構成である。
【００６０】
（制御部の構成例３）
図１１は、履物用センサシート１００の制御部１の具体的な構造のさらに別の例に相当する制御部２０３の断面図であり、筺体１３の蓋を閉じた状態を示している。
【００６１】
制御部２０３は、下筺体１３ｂの底部に受電コイル２８を備えている点が、制御部２０１と異なっている。受電コイル２８は、周知の非接触給電技術により、送電コイル２９から受電するものである。送電コイル２９からの受電により、受電コイル２８は、電源１６を充電する。
【００６２】
制御部２０３は、上筺体１３ａにより下筺体１３ｂに蓋をした状態であっても、電源１６を充電することができる。このため、制御部２０２と同様に、電源１６の充電作業の単純化を図ることができる。
【００６３】
以上に説明した点を除けば、制御部２０３は、制御部２０１と同様の構成である。
【００６４】
〔実施形態２〕
（センサシートの構成例）
図１２は、履物用センサシート４００の構成を示す上面図である。履物用センサシート４００は、履物用センサシート１００がサブセンサシート１００ａ〜１００ｃに３分割されたものである。
【００６５】
サブセンサシート１００ａは、履物用センサシート４００のうち、足裏の中央領域と対応している。サブセンサシート１００ｂは、履物用センサシート４００のうち、つま先付近の領域と対応している。サブセンサシート１００ｃは、履物用センサシート４００のうち、踵付近の領域と対応している。また、配線３については、サブセンサシート１００ａ〜１００ｃ毎に引き出されている。ここでは、サブセンサシート１００ａから引き出された配線３を、配線３ａと、サブセンサシート１００ｂから引き出された配線３を、配線３ｂと、サブセンサシート１００ｃから引き出された配線３を、配線３ｃとしている。配線３ａ〜３ｃは、それぞれ対応するサブセンサシート１００ａ〜１００ｃと一体化され、配線とサブセンサシートとで１つの部品となっている。
【００６６】
履物用センサシート４００は、足型の部分形状に合わせたサブセンサシート１００ａ〜１００ｃを備えており、各サブセンサシート１００ａ〜１００ｃから外部に引き出された配線３ａ〜３ｃのそれぞれに対して制御部１が、着脱可能に構成されている。
【００６７】
履物用センサシート４００をサブセンサシート１００ａ〜１００ｃによって構成することにより、履物用センサシート４００を部分的に交換することができる。例えば、履物用センサシート４００を継続的に使用した結果、足型の一部領域に対応した感圧部２または配線３ａ〜３ｃ等が故障した場合に、履物用センサシート４００の全体を交換する必要を無くせる。したがって、ユーザ１０１（図１７参照）の利便性が向上する。
【００６８】
また、足型の全体領域のうち、足圧を測定または検出したい領域に合わせて、サブセンサシート１００ａ〜１００ｃのいずれかを選択して用意することもできる。
【００６９】
なお、履物用センサシート４００の説明においては、履物用センサシート１００がサブセンサシート１００ａ〜１００ｃに３分割された例を示したが、履物用センサシート１００が２分割されてもよいし、履物用センサシート１００が４つ以上に分割されてもよい。
【００７０】
図１３の（ａ）〜（ｃ）は、サブセンサシート１００ａ〜１００ｃの取付例を示す断面図である。サブセンサシート１００ａには、サブセンサシート１００ｂ側の端部近傍、およびサブセンサシート１００ｃ側の端部近傍のそれぞれに、凸部３０ａおよび３０ｂが間隔を置いて形成されている。凸部３０ａのサイズと凸部３０ｂのサイズとは、略同一である。一方、サブセンサシート１００ｂおよび１００ｃのそれぞれは、サブセンサシート１００ａ側の端部近傍に、孔部３１ａおよび３１ｂが凸部３０ａおよび３０ｂと対応するように、間隔を置いて形成されている。孔部３１ａのサイズと孔部３１ｂのサイズとは、略同一であり、かつ、凸部３０ａおよび３０ｂのそれぞれが嵌合するサイズである。
【００７１】
凸部３０ａおよび３０ｂのいずれかと、それと嵌合する孔部３１ａおよび３１ｂのいずれかとの組み合わせに応じて、履物用センサシート４００の足長方向のサイズを調節することができる。
【００７２】
すなわち、図１３の（ｂ）には、サブセンサシート１００ｂ側の凸部３０ａおよび３０ｂとサブセンサシート１００ｂの孔部３１ａおよび３１ｂとがそれぞれ嵌合すると共に、サブセンサシート１００ｃ側の凸部３０ａおよび３０ｂとサブセンサシート１００ｃの孔部３１ａおよび３１ｂとがそれぞれ嵌合する例を示している。一方、図１３の（ｃ）には、サブセンサシート１００ｂ側の凸部３０ｂとサブセンサシート１００ｂの孔部３１ａとが嵌合すると共に、サブセンサシート１００ｃ側の凸部３０ｂとサブセンサシート１００ｃの孔部３１ａとが嵌合する例を示している。履物用センサシート４００の足長方向のサイズは、図１３の（ｂ）の例より、図１３の（ｃ）の例のほうが大きくなる。
【００７３】
このように、サブセンサシート１００ａ〜１００ｃに、サイズ調整機構を設けることによって、履物の各種サイズに依らない、サブセンサシート１００ａ〜１００ｃの共通化を図ることができる。すなわち、履物の各種サイズ毎に、適合したサイズのサブセンサシート１００ａ〜１００ｃを用意する必要が無くなる。
【００７４】
図１４は、サブセンサシート１００ａおよび１００ｂの取付時における配線３ｂの引き回しの一例を示す、図１２のＭ−Ｍ線に沿う断面図であり、（ａ）は、取付前を示しており、（ｂ）は、取付後を示している。
【００７５】
図１４の（ａ）に示す配線３ｂでは、履物用センサシート４００の断面視において、サブセンサシート１００ｂの上面から引き出された部分が蛇腹になっている。このため、サブセンサシート１００ｂをサブセンサシート１００ａに取り付けた後、配線３ｂは、図１４の（ｂ）に示すとおり、サブセンサシート１００ａの上面側（すなわち、足裏側）に位置している。
【００７６】
図１５は、サブセンサシート１００ａおよび１００ｂの取付時における配線３ｂの引き回しの別の例を示す、図１２のＭ−Ｍ線に沿う断面図であり、（ａ）は、取付前を示しており、（ｂ）は、取付後を示している。
【００７７】
図１５の（ａ）に示す配線３ｂでは、履物用センサシート４００の断面視において、サブセンサシート１００ｂの下面から引き出された部分が蛇腹になっている。このため、サブセンサシート１００ｂをサブセンサシート１００ａに取り付けた後、配線３ｂは、図１５の（ｂ）に示すとおり、サブセンサシート１００ａの下面側（すなわち、地面側）に位置している。これにより、配線３ｂと足裏との間にサブセンサシート１００ａが介在することとなるので、足裏に対する違和感を小さくすることができる。
【００７８】
なお、サブセンサシート１００ｂは、履物用センサシート１００と同様に、足裏側の第１シート６と、地面側の第２シート７とを備えた構成である（図３の（ａ）参照）。配線３ｂは第１シート６に設けられていてもよく、第１シート６の少なくとも一部が配線３ｂの少なくとも一部を兼ねる構成であってもよい。
【００７９】
なお、図１４および図１５においては、サブセンサシート１００ａおよび１００ｂの取付時について説明を行った。但し、サブセンサシート１００ａおよび１００ｃの取付時についても、サブセンサシート１００ａおよび１００ｂの取付時と同様のことが言える。
【００８０】
図８および図１７を併せて参照して説明すると、図１２に示す履物用センサシート４００の構成では、配線３ａ〜３ｃを受け入れる開口部２３を１箇所にまとめることができるため、制御部１（制御部２０１）の内部の密封をより確実に維持することができる。また、配線３ａ〜３ｃのそれぞれのフレキシブル配線部２０と配線接続用コネクタ１９ｂとの結合方向を足幅方向としているので、ユーザ１０１の歩行または走行中に配線３ａ〜３ｃのフレキシブル配線部２０が受ける変形の影響を小さくすることができ、フレキシブル配線部２０が配線接続用コネクタ１９ｂから抜けたり、フレキシブル配線部２０が断線したりすることを防止できる。
【００８１】
また、図１２に示す履物用センサシート４００においては、履物用センサシート４００から引き出された配線３ａ〜３ｃの全てが、足幅方向に、制御部１と接続されている。このため、足長方向に働く力に起因して、配線３ａ〜３ｃが断線する虞が低いため、足長方向の変形に対する配線３ａ〜３ｃの耐久性は比較的高い。
【００８２】
また、配線３ｂおよび３ｃは、履物用センサシート４００の断面視において蛇腹であってもよい。これにより、配線３ｂおよび３ｃに対して足長方向に働く力（伸縮による応力）を吸収することができる。
【００８３】
このように、履物用センサシート４００から外部に引き出された配線３ａ〜３ｃが制御部１と接続される方向は、足幅方向であってもよい。
【００８４】
これにより、履物用センサシート４００から外部に引き出された配線３ａ〜３ｃが制御部１と接続される方向を足長方向とする形態と比較して、配線３ａ〜３ｃが足長方向の変形の影響を受けにくい。履物は、ユーザ１０１の歩行または走行によって、足幅方向より足長方向に大きく変形するから、履物用センサシート４００の構成によって、ユーザ１０１の歩行または走行中に配線３ａ〜３ｃが受ける変形の影響を小さくすることができる。よって、履物用センサシート４００の耐久性が向上する。
【００８５】
〔実施形態３〕
図１６は、履物用センサシート５００の構成を示す上面図である。履物用センサシート５００は、配線３ｂおよび３ｃの引き回し方が、履物用センサシート４００と異なっている。
【００８６】
履物用センサシート５００においては、配線３ａ〜３ｃの全てが、土踏まず領域３２に引き出されている。履物用センサシート５００の周りの外部領域のうち、土踏まず領域３２は、かかる足圧の大きさが相対的に小さい。したがって、履物用センサシート５００から配線３ａ〜３ｃを外部に引き出す場合に、土踏まず領域３２を利用することによって、配線３ａ〜３ｃにかかる足圧の大きさを小さくすることができる。よって、履物用センサシート５００の耐久性が向上する。
【００８７】
また、配線３ａは、足幅方向に引き出されている。配線３ａは、履物用センサシート５００の断面視において蛇腹であってもよい。これにより、配線３ａに対して足幅方向に働く力を吸収することができる。一方、配線３ｂおよび３ｃは、足長方向に引き出されている。配線３ｂおよび３ｃは、履物用センサシート５００の断面視において蛇腹であってもよい。これにより、配線３ｂおよび３ｃに対して足長方向に働く力を吸収することができる。
【００８８】
さらに、配線３ａ〜３ｃの蛇腹は、足圧が相対的に小さくなる土踏まず領域３２において形成することが好ましい。これにより、配線３ａ〜３ｃの蛇腹の部分に大きな足圧が加わることを抑制することができる。また、ユーザ１０１が配線３ａ〜３ｃの蛇腹の部分を踏んで歩き心地を損なうことを抑えることができる。
【００８９】
図１６に示す履物用センサシート５００の構成では、配線３ｂおよび３ｃがサブセンサシート１００ａに重ならないようにすることができるため、配線３ｂおよび３ｃによるサブセンサシート１００ａ内の凹凸が無くなり、足裏に対する違和感を小さくすることができる。
【００９０】
なお、履物用センサシート５００においても、履物用センサシート４００と同様に、配線３ｂおよび３ｃにおける足長方向に延在する部分に、蛇腹構造などの変形吸収部分を設けることができる。
【００９１】
〔付記事項〕
図１２に示した履物用センサシート４００および図１６に示した履物用センサシート５００においては、サブセンサシート１００ａ〜１００ｃのいずれかの分割シートに制御部１が一体化され、残りの分割シートの配線３を着脱可能とするように構成することもできる。
【００９２】
また、本発明の履物用センサシートは、足型の全体領域を分割した複数領域の少なくとも１つに対応した形状を有していてもよい。上記の構成によれば、足型の全体領域のうち、少なくとも１つの部分領域に絞って足圧を測定または検出することができる。これにより、履物用センサシートの構成を簡素化し、製造コストを下げることができる。
【００９３】
本発明の履物は、履物用センサシート１００、複合センサシート２００、複合センサシート３００、履物用センサシート４００、履物用センサシート５００のいずれかを備えている。上記の構成によれば、履物用センサシートでは、制御部と感圧部との電気的接続部の防水性が保たれているので、制御部の耐久性が良好な履物を提供できる。したがって、長期間にわたってユーザの歩行状態または走行状態を検知することができる。また、制御部は着脱可能なので、各種サイズの履物に対し共通に使用することができる。この結果、上記履物用センサシートを備えた履物のコストダウンを図ることができる。
【００９４】
〔まとめ〕
本発明の態様１に係る履物用センサシートは、制御部（１）と、上記制御部（１）と配線（３）を介して電気的に接続され、足圧を検知する感圧部（２）とを備えた履物用センサシート（１００）であって、上記履物用センサシート（１００）から外部に引き出された上記配線（３）に対して上記制御部（１）が、着脱可能に構成され、上記制御部（１）と上記配線（３）との着脱部（５）は、上記制御部（１）の内部に備えられている。
【００９５】
上記の構成によれば、履物用センサシートから外部に引き出された配線に対して制御部が着脱可能に構成されているので、履物用センサシートに対して制御部を簡単に着脱することができる。さらに、制御部と配線との着脱部は、制御部の内部に備えられているので、着脱部の防水性を確保することも容易である。
【００９６】
なお、感圧部は、足圧がかかったか、かかっていないかを２値的に検出するセンサでもよいし、足圧の大きさを検知するセンサでもよい。
【００９７】
本発明の態様２に係る履物用センサシートでは、上記態様１において、上記制御部（２０１）は、上記配線（３）を上記制御部（２０１）の内部に挿入可能にする開口部（２３）を備えた筺体（１３）と、上記開口部（２３）において、上記配線（３）の挿入経路を挟むように向かい合った部分（２４ａおよび２４ｂ）を有する弾性体（１４）とを備え、上記向かい合った部分（２４ａおよび２４ｂ）は、互いの押し圧によって変形した状態で、上記挿入経路を密閉する構成であってもよい。
【００９８】
上記の構成によれば、上記制御部は筺体を備え、その筺体は配線を制御部の内部に挿入可能にする開口部を備えている。したがって、筺体の防水性は、少なくとも開口部を水密構造にすることによって、容易に確保することができる。開口部の水密構造として、開口部には、配線の挿入経路を挟むように向かい合った部分を有する弾性体が備わっている。弾性体の向かい合った部分は、向かい合った部分同士の押し圧によって変形した状態で、挿入経路を密閉するようになっている。
【００９９】
よって、向かい合った部分同士の間に、配線を差し込むことによって、配線を制御部内の着脱部へ導くことができる。したがって、着脱部の防水性を確保しつつ、配線に対して制御部を着脱することができる。さらに、向かい合った部分同士の変形により、配線の厚みを弾性体が吸収することもできる。
【０１００】
本発明の態様３に係る履物用センサシートは、上記態様１または２において、足型の部分形状に合わせた少なくとも２つのサブセンサシート（１００ａ〜１００ｃ）を備えており、各サブセンサシート（１００ａ〜１００ｃ）から外部に引き出された配線（３ａ〜３ｃ）のそれぞれに対して上記制御部（１）が、着脱可能に構成されていてもよい。
【０１０１】
上記の構成によれば、履物用センサシートを少なくとも２つのサブセンサシートによって構成することにより、履物用センサシートを部分的に交換することができる。例えば、履物用センサシートを継続的に使用した結果、足型の一部領域に対応した感圧部または配線等が故障した場合に、履物用センサシートの全体を交換する必要を無くせる。したがって、ユーザの利便性が向上する。
【０１０２】
また、足型の全体領域のうち、足圧を測定または検出したい領域に合わせて、サブセンサシートを用意することもできる。
【０１０３】
本発明の態様４に係る履物用センサシートは、上記態様１から３のいずれかにおいて、少なくとも、足裏側の第１シート（６）と、地面側の第２シート（７）とを備え、上記第１シート（６）および第２シート（７）は、可撓性を備えているとともに、上記第２シート（７）は、上記第１シート（６）より大きな伸縮性を備えており、上記第１シート（６）の地面側の面に、上記感圧部（２）および上記配線（３）が設けられていることが好ましい。
【０１０４】
上記の構成によれば、履物用センサシートの使用法は、履物用の中敷の使用法と同様である。このため、ユーザが履物を履いて歩行または走行すると、履物が変形するので、履物用センサシートも、履物の変形と同様に変形し、このときに伸縮の応力がかかる。履物用センサシートが繰り返し変形すると、伸縮の応力が履物用センサシートに繰り返しかかり、履物用センサシートに固定された感圧部および配線にも伸縮の応力が繰り返しかかる。伸縮の応力が履物用センサシート、感圧部および配線に繰り返してかかると、破断などの不具合を引き起こす可能性がある。
【０１０５】
そこで、少なくとも、感圧部および配線にかかる応力の影響を弱めるように、履物用センサシートを構成することが好ましい。そのために、履物用センサシートは、少なくとも、足裏側の第１シートと、地面側の第２シートとを備え、上記第１シートおよび第２シートは、可撓性を備えているとともに、上記第２シートは、上記第１シートより大きな伸縮性を備えている。すなわち、第１シートは、第２シートより小さな伸縮性を備えているか、あるいは伸縮性が無いとみなせる程度であってもよい。
【０１０６】
感圧部および配線を第１シートの地面側の面に設けているので、感圧部および配線は履物の変形と同様に変形することはできるが、伸縮の応力がかかることは抑制される。一方、第２シートは、履物の変形に合わせて変形し、かつ伸縮する。これにより、感圧部および配線にかかる伸縮の応力の影響を弱めることができるので、履物用センサシートの耐久性を高めることができる。
【０１０７】
本発明の態様５に係る履物用センサシートは、上記態様１から４のいずれかにおいて、装着相手の履物のソール部材と１カ所の局所で固定されるための固定部（８）を備えていてもよい。
【０１０８】
上記の構成によれば、履物用センサシートは、固定部において、履物のソール部材と局所的に固定されるので、固定部以外の部分には、履物用センサシートの変形に伴う動きの自由度が生まれる。その自由度は、履物用センサシートのより大きな面積でソール部材と固定する形態と比較して、大きくなる。これにより、繰り返す変形に対して履物用センサシートの耐久性を高めることができる。
【０１０９】
本発明の態様６に係る履物用センサシートでは、上記態様１から５のいずれかにおいて、上記履物用センサシート（４００）から外部に引き出された上記配線（３ａ〜３ｃ）が上記制御部（１）と接続される方向は、足幅方向であってもよい。
【０１１０】
上記の構成によれば、履物用センサシートから外部に引き出された配線が制御部と接続される方向を足長方向とする形態と比較して、配線が足長方向の変形の影響を受けにくい。履物は、ユーザの歩行または走行によって、足幅方向より足長方向に大きく変形するから、上記の構成によって、ユーザの歩行または走行中に配線が受ける変形の影響を小さくすることができる。よって、履物用センサシートの耐久性が向上する。
【０１１１】
本発明の態様７に係る履物は、上記態様１から６のいずれかに記載の履物用センサシート（１００）を備えている。
【０１１２】
上記の構成によれば、履物用センサシートでは、制御部と感圧部との電気的接続部の防水性が保たれているので、制御部の耐久性が良好な履物を提供できる。したがって、長期間にわたってユーザの歩行状態または走行状態を検知することができる。また、制御部は着脱可能なので、各種サイズの履物に対し共通に使用することができる。この結果、上記履物用センサシートを備えた履物のコストダウンを図ることができる。
【０１１３】
本発明の別の態様に係る履物用センサシートは、上記態様１または２において、足型の全体領域を分割した複数領域の少なくとも１つに対応した形状を有していてもよい。
【０１１４】
上記の構成によれば、足型の全体領域のうち、少なくとも１つの部分領域に絞って足圧を測定または検出することができる。これにより、履物用センサシートの構成を簡素化し、製造コストを下げることができる。
【０１１５】
本発明のさらに別の態様に係る履物用センサシートでは、上記態様１から６のいずれかにおいて、上記配線（３ａ〜３ｃ）の本数は、単数または複数であり、上記履物用センサシート（５００）の周りの外部領域のうち、土踏まず領域（３２）において、上記配線（３ａ〜３ｃ）が上記履物用センサシート（５００）から外部に引き出されていてもよい。
【０１１６】
上記の構成によれば、履物用センサシートの周りの外部領域のうち、土踏まず領域は、かかる足圧の大きさが相対的に小さい。したがって、履物用センサシートから単数または複数の配線を外部に引き出す場合に、土踏まず領域を利用することによって、配線にかかる足圧の大きさを小さくすることができる。よって、履物用センサシートの耐久性が向上する。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１８】
１、２０１、２０２、２０３  制御部
２  感圧部
３、３ａ、３ｂ、３ｃ  配線
５  着脱部
６  第１シート
７  第２シート
８  固定部
１０ａ、１０ｂ  ソール部材
１３  筺体
１４、１４ａ、１４ｂ  弾性体
２３  開口部
２４ａ、２４ｂ  対向密着部（向かい合った部分）
３２  土踏まず領域
１００、４００、５００  履物用センサシート
１００ａ、１００ｂ、１００ｃ  サブセンサシート
２００、３００  複合センサシート
【図１】
2017205329.tif 000003
【図２】
2017205329.tif 000004
【図３】
2017205329.tif 000005
【図４】
2017205329.tif 000006
【図５】
2017205329.tif 000007
【図６】
2017205329.tif 000008
【図７】
2017205329.tif 000009
【図８】
2017205329.tif 000010
【図９】
2017205329.tif 000011
【図１０】
2017205329.tif 000012
【図１１】
2017205329.tif 000013
【図１２】
2017205329.tif 000014
【図１３】
2017205329.tif 000015
【図１４】
2017205329.tif 000016
【図１５】
2017205329.tif 000017
【図１６】
2017205329.tif 000018
【図１７】
2017205329.tif 000019